Podtech/llm-jp-corpus-v4-ja_patent huggingface dataset:
(57)【要約】      （修正有）【課題】潮流を利用して発電しようとする際、潮流の方向が逆になっても水車を同じ方向に逆転させる。【解決手段】潮流が右から左へ流れている場合には、４に固定された２が、７を左に動かし、１３を左に押すことにより、１を左回転し、図の位置にすることにより、１は右からの潮流によって上方向に押され、水車を右から見て、時計回りに回転させることになる。一方、逆に潮流が左から右へ流れている場合には、１１に固定された１２が、１０を右に動かし、１３を右に押すことにより、１を右回転し、１は左からの潮流によって上方向に押され、水車を右から見て、時計回りに回転させる事が出来る。【選択図】図３
2013060939.tif 000002
【特許請求の範囲】
【請求項１】
海中に設置する発電用水車で、主軸回転ローターに取り付けた駆動用水車羽根の取り付け角度を潮流の方向によって変更する事により、水車の回転方向を、潮流の方向に関係なく一定に保つ発明。
【請求項２】
海中に設置する発電用水車で、潮流の流れを利用して駆動用水車羽根の方向変換を行う為に、水流を案内する固定整流案内羽根を利用する発明。
【発明の詳細な説明】
【技術分野】
【０００１】        本発明は再生可能エネルギーの内、特に潮流を利用して効果的に発電しようとするものであり、満潮、干潮時に潮流が逆方向になっても発電装置の設置方向を変えることなく、発電する事を可能とするものである。【００２】        プロペラ型タービンを船舶等で曳航して発電を試みている例はテレビニュース等で見聞しているが本発明に類似した発明の例は承知していない。【００３】        水車の羽根の取り付け角度を変更する事は、カプランタービン等にも見られるが、いずれも、回転効率を高めるためのものであり、本発明のように、逆流する水流にたいしても、水車の回転方向を一定に保つためのものではない。
【発明の開示】
【発明が解決しようとする課題】
【００４】        海の干満によって惹起される潮流は、通常  干潮満潮時において流れの方向が逆になる、従って、これを利用して発電を行う為には発電装置の設置方向を流れの方向に合致する様にその都度変更しなければならない事になるが、海中に設置した装置の位置の変更は漁業や船舶の通行に多大の影響を及ぼす恐れがあり、且つ、巨大な装置の海中での設置方向の転換は極めて困難で、この問題を解決する必要がある。
【問題を解決するための手段】
【００５】        この問題を解決するための請求項１の発明は、発電機を駆動する為の水車に取り付けた羽根の角度を変更する事により実現される。
【００６】        この為  請求項２の整流用固定案内羽根を発電装置本体にスライドして移動可能なカラーに固定し、カラーと固定羽根が潮流の動きによって移動させられる動きを利用して駆動水車羽根の角度を変更する事により容易に目的を達成する事が可能となる。
【発明を実施するための最良の形態】
【００７】        図１は、装置の縦断面図であり、潮流は図の右から左へ流れている、この為、第１整流用固定案内羽根Ａ、及び同Ｂ，Ｃ，Ｄは第１スライドカラーと共に左へ押され、作動用第１シリンダーを左へ移動し、結果として、作動第１レバーＡ、および同Ｂ，Ｃ，Ｄが左へ押され、作動第２レバーＡ、および同Ｂ，Ｃ，Ｄが夫々の駆動用水車羽の角度を変換させて、図の右側から見て、水車を時計方向に回転させる。【００８】        図１の場合、第２整流用固定案内羽根はすべて、第２スライドカラーと共に、駆動用水車の回転を妨害しない様、潮流により左へ移動している。【００９】        図２は、同じく装置の縦断面図であるが、潮流が図１の場合の逆に、左から右へ流れている場合をあらわしている。【０１０】        従って、図２では、第２整流用固定案内羽根のすべてが第２スライドカラーと共に、右へおされ、作動用第２シリンダーを右へ移動し、結果として、作動第１レバーＡおよび同Ｂ，Ｃ，Ｄが右へ押され、作動第２レバーＡおよび同Ｂ，Ｃ，Ｄが、夫々の駆動用水車羽根の角度を変換させて、図１の場合同様、図の右側から見て、水車を時計方向に回転させる事ができる。【０１１】        図２の場合は、第１整流用固定案内羽根のすべては、第１スライドカラーと共に、駆動用水車の回転を妨害しない様に、潮流により右へ移動している。【０１２】        駆動用水車羽根および第１、第２整流用固定羽根は、図では夫々４枚と想定し、夫々Ａ，Ｂ，Ｃ，Ｄで表しているが、実用上は４枚と限定されるものでなく、夫々複数枚で構成される。
【産業上の利用可能性】
【０１３】        本発明に係る潮流は、数少ない再生可能エネルギーの内、島礁国、日本にとって最も適したエネルギーの一つであり、本発明は産業上の利用可能性を有する。
【図面の簡単な説明】
【０１４】
【図１】        海中設置型潮流発電装置の縦断面図で、潮流が図の右側から左側へ流れている場合の図である。
【図２】        海中設置型潮流発電装置の縦断面図で、潮流が図の左側から右側へ流れている場合の図である。
【図３】        駆動用水車羽根と、その角度を変換させる整流用固定案内羽根、作動用シリンダー、作動第１レバー、作動第２レバーの関係を分かり易く表した図で、本体外殻を除き、本体を上から見た図であり、潮流は図の右から左へ流れている場合を表している。
【図４】        図３において、潮流が左から右へ流れている場合をあらわしている。
【図５】        図１の、Ａ−Ａ’断面を表している。
【符号の説明】
【０１５】  １    駆動用水車羽根Ａ
２    第１整流用固定案内羽根Ａ
３    本体外殻
４    第１スライドカラー
５    本体
６    駆動用水車軸
７    作動用第１シリンダー
８    作動第１レバーＣ
９    作動第２レバーＣ
１０    作動用第２シリンダー
１１    第２スライドカラー
１２    第２整流用固定案内羽根Ａ
１３    作動第１レバーＡ
１４    作動第２レバーＡ
１５    浮上用圧搾空気タンク
１６    沈下用排気弁１
１７    発電機Ａ
１８    海底固定用鎖止
１９    発電機Ｂ
２０    沈下用排気弁２
２１    浮上用圧搾空気注入弁
２２    沈下用給水弁  兼  浮上用排水弁
２３    姿勢制御用重錘
２４    駆動用水車羽根Ｂ
２５    駆動用水車羽根Ｃ
２６    駆動用水車羽根Ｄ
２７    第１整流用固定羽根Ｃ
２８    第２整流用固定羽根Ｃ
【図１】
2013060939.tif 000003
【図２】
2013060939.tif 000004
【図３】
2013060939.tif 000005
【図４】
2013060939.tif 000006
【図５】
2013060939.tif 000007
(57)【要約】      （修正有）【課題】現在、スマートフォンサイトではＨＴＭＬ５を採用するのが一般的だが、その場合、ＵＴＦ−８が推奨されている。しかし、日本の決済代行会社の多くがＵＴＦ−８に対応していないのが現状である。こうした状況の中で、スマートフォン対応のショッピングカートやメールフォームで両者の文字コードに対応する方式を提供する。【解決手段】ＵＴＦ−８で作成したスマートフォンサイトからのフォームデータを受け付けるためにショッピングカートやメールフォームは通常はＨＴＭＬをＵＴＦ−８で出力するように作成する。しかし、決済代行会社とリンクする注文完了画面又は問合せ完了画面ではＳｈｉｆｔ＿ＪＩＳで出力する。こうすることにより多くの決済代行会社を利用することができる。また、決済時に、ＰＣ、携帯、スマートフォンでＳｈｉｆｔ＿ＪＩＳを共通の文字コードとして使えるというメリットがある。【選択図】なし【特許請求の範囲】
【請求項１】
スマートフォン用ショッピングカートやメールフォームで通常はＨＴＭＬをＵＴＦ−８で出力し、注文完了画面又は問合せ完了画面でＳｈｉｔｆ＿ＪＩＳで出力する方式。
【発明の詳細な説明】
【技術分野】
【０００１】  本発明は、スマートフォン用ショッピングカートやメールフォームでＵＴＦ−８とＳｈｉｆｔ＿ＪＩＳの２つの文字コードに対応する方式の技術に関する。
【背景技術】
【０００２】  スマートフォンサイトでは通常はＨＴＭＬ５で作成され、ＵＴＦ−８の使用が推奨されている。しかし、日本の多くの決済代行会社ではＵＴＦ−８にまだ対応していないのが現状である。ショッピングカートやメールフォームはこの中間にあって文字コードを適切に扱う必要がある。
【発明の概要】
【発明が解決しようとする課題】
【０００３】  スマートフォン対応のショッピングカートやメールフォームはＵＴＦ−８とＳｈｉｆｔ＿ＪＩＳの２つの文字コードに対応する必要がある。スマートフォンサイトの多くがＨＴＭＬ５でＵＴＦ−８を用いて制作されている一方で、多くの決済代行会社がＵＴＦ−８に対応していないので、この問題を解決したい。
【課題を解決するための手段】
【０００４】  スマートフォン対応のショッピングカートやメールフォームで、通常はＨＴＭＬ５をＵＴＦ−８で出力するようにする。しかし、ショッピングカートやメールフォームの注文完了画面又は問合せ完了画面の時にはＳｈｉｆｔ＿ＪＩＳで出力するようにする。
【発明の効果】
【０００５】  本発明は次のような効果を奏する。
ＵＴＦ−８で作成されたスマートフォンサイトのフォームデータを文字化けせずに受け取ることができる。同時に、決済代行会社にはＳｈｉｆｔ＿ＪＩＳでデータを送信することができる。ショッピングカートやメールフォームのユーザーはスマートフォンサイトを作成する時、推奨通りＨＴＭＬ５／ＵＴＦ−８を用いることができ、しかも、ほとんどの済代行会社を利用できる。また、決済時に、ＰＣ、携帯、スマートフォンでＳｈｉｆｔ＿ＪＩＳを共通の文字コードとして使えるというメリットがある。
【発明を実施するための形態】
【０００６】  ｐｅｒｌ言語などでプログラミングするが、ｐｅｒｌモジュール（Ｅｎｃｏｄｅ．ｐｍ）などの文字コードの変換用のプログラムを用いて文字コードを切り替えて出力する。
(57)【要約】【課題】より砂塵を効果的に除去する空気調和機の室外機を提供すること。【解決手段】本発明の空気調和機の室外機は、冷媒を圧縮する圧縮機１と、冷媒と大気とが熱交換を行う室外熱交換器２とを備えた空気調和機の室外機であって、圧縮機１と室外熱交換器２とを接続する冷媒配管の振動を、室外熱交換器へ伝達する伝達手段を備えたことにより、効果的に振動を室外熱交換器へ伝えることができ、その振動によって砂塵を落下させて除去することができる。【選択図】図１
2013133967.tif 000002
【特許請求の範囲】
【請求項１】
冷媒を圧縮する圧縮機と、冷媒と大気とが熱交換を行う室外熱交換器とを備えた空気調和機の室外機であって、前記圧縮機と前記室外熱交換器とを接続する冷媒配管の振動を、前記室外熱交換器へ伝達する伝達手段を備えたことを特徴とする空気調和機の室外機。
【請求項２】
前記圧縮機と前記室外熱交換器とを接続する冷媒配管は、実使用運転以外の周波数に固有振動数を持つことを特徴とする請求項１に記載の空気調和機の室外機。
【請求項３】
前記室外熱交換器へ送風を行う室外送風機を備え、運転停止信号を検知すると前記圧縮機の周波数を、前記圧縮機と前記室外熱交換器とを接続する冷媒配管が持つ固有振動数に変更し、かつ、前記室外送風機の回転数を上げることを特徴とする請求項１または２に記載の空気調和機の室外機。
【発明の詳細な説明】
【技術分野】
【０００１】
本発明は、空気調和機の室外機に関する。
【背景技術】
【０００２】
従来の空気調和機の室外機は、室外熱交換器に付着した砂塵を、室外送風機を逆転させて駆動させることによって砂塵を吹き飛ばすということが考案されていた（例えば、特許文献１参照）。
【先行技術文献】
【特許文献】
【０００３】
【特許文献１】特開２００７−１５５２７０号公報
【発明の概要】
【発明が解決しようとする課題】
【０００４】
しかしながら、上記従来の構成では、風の力のみにより砂塵を吹き飛ばす為、効果が小さく、多くの砂塵が残るという課題を有していた。
【０００５】
本発明はこのような従来の課題を解決するものであり、より砂塵を効果的に除去する空気調和機の室外機を提供することを目的とする。
【課題を解決するための手段】
【０００６】
前記従来の課題を解決するために、本発明の空気調和機の室外機は、冷媒を圧縮する圧縮機と、冷媒と大気とが熱交換を行う室外熱交換器とを備えた空気調和機の室外機であって、圧縮機と室外熱交換器とを接続する冷媒配管の振動を、室外熱交換器へ伝達する伝達手段を備えたことにより、効果的に振動を室外熱交換器へ伝えることができ、その振動によって砂塵を落下させて除去することができる。
【発明の効果】
【０００７】
本発明は、より砂塵を効果的に除去する空気調和機の室外機を提供することができる。
【図面の簡単な説明】
【０００８】
【図１】本発明の実施の形態１の空気調和機の室外機の構成図
【発明を実施するための形態】
【０００９】
第１の発明の空気調和機の室外機は、冷媒を圧縮する圧縮機と、冷媒と大気とが熱交換を行う室外熱交換器とを備えた空気調和機の室外機であって、圧縮機と室外熱交換器とを接続する冷媒配管の振動を、室外熱交換器へ伝達する伝達手段を備えたことにより、効果的に振動を室外熱交換器へ伝えることができ、その振動によって砂塵を落下させて除去することができる。
【００１０】
第２の発明の空気調和機の室外機は、特に第１の発明において、圧縮機と室外熱交換器とを接続する冷媒配管は、実使用運転以外の周波数に固有振動数を持つことにより、任意のタイミングで固有振動数の周波数とすることで砂塵の除去運転を行うことが出来るものである。
【００１１】
第３の発明の空気調和機の室外機は、特に第１または第２の発明において、室外熱交換器へ送風を行う室外送風機を備え、運転停止信号を検知すると圧縮機の周波数を、圧縮機
と室外熱交換器とを接続する冷媒配管が持つ固有振動数に変更し、かつ、室外送風機の回転数を上げることにより、顧客が任意に操作したタイミングで行うことにより違和感なく砂塵の除去運転を行うことが出来るものである。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の構成を示す図である。圧縮機１と室外熱交換器２と絞り手段６と室内熱交換器７とを有し、夫々が冷媒配管にて接続されている。そして本実施の形態の空気調和機の室外機は、圧縮機１と室外熱交換器２とを接続する冷媒配管の振動を室外熱交換器２へ伝達する伝達手段を備えている。
【００１４】
本実施の形態において伝達手段は、室外熱交換器２と圧縮機１とを接続する冷媒配管に設けた加打部４と、室外熱交換器２の一部に加打部４を受ける受打部３とで構成されている。
【００１５】
そして、圧縮機１と室外熱交換器をつなぐ冷媒配管の任意の周波数に固有振動数を持ち、任意の周波数にて運転することで冷媒配管の一部の振動が大きくなり加打部４にて受打部３をたたき振動を加えることにより室外熱交換器２に付着している砂塵が容易に室外送風機５の風の力により飛ばされる。
【００１６】
また、圧縮機１と室外熱交換器２をつなぐ冷媒配管に実使用運転以外の周波数に固有振動数を持つものであり、実使用運転中は通常運転を実現し、任意のタイミングで固有振動数の周波数とすることで砂塵の除去運転を行うことが出来るものである。
【００１７】
また、運転停止信号を検知すると圧縮機１と室外熱交換器２をつなぐ冷媒配管の実使用運転以外の固有振動数の周波数に圧縮機１の運転周波数を変更し、室外送風機５の回転数を上げることで、より効果的に、ほぼ定期的にかつ、顧客が任意に操作したタイミングで行うことにより違和感なく砂塵の除去運転を行うことが出来るものである。
【産業上の利用可能性】
【００１８】
以上のように本発明は、１台の室外機に１台の室内機が接続される空気調和機だけではなく、１台の室外機に複数台の室内機が接続されるマルチ型の空気調和機であっても適用することができる。
【符号の説明】
【００１９】
１  圧縮機
２  室外熱交換器
３  受打部
４  加打部
５  室外送風機
【図１】
2013133967.tif 000003
(57)【要約】      （修正有）【課題】産業廃棄物の有効利用に関する技術と低レベル放射能を含む廃棄物の埋め立て場所の確保に関する技術を提供する。【解決手段】防潮堤の陸側に数十メートルの幅で空地を設けその基礎を防水型に施工して最下部に低レベル放射能に汚染された焼却灰、瓦礫や土砂、場合によっては剪定樹木などを埋めその上に盛り土を施工することで防潮堤に架かる波力による破壊を防止し、潮堤の外面に放射能遮断の塗料を塗布する事で外部への漏出を低減又は防止する。【選択図】なし【特許請求の範囲】
【請求項１】
防潮堤本体を鋼板製で製作し現地工事でコンクリートの充填をし大幅なコストダウンを行う事
【請求項２】
防潮堤の一定間隔に水門を設け海側への出入りを容易にする事
【請求項３】
防潮堤内並びにその周辺に廃棄物の埋め立て場所として利用する事
【請求項４】
低レベル放射能の及ばない高さまで盛り土し公園などに利用又防潮林、防風林として応用する事
【発明の詳細な説明】
【技術分野】
【０００１】本発明は産業廃棄物の有効利用に関する技術と低レベル放射能を含む廃棄物の埋め立て場所の確保に関する技術。
並びに防潮堤設置コスト低減化に関する技術
【背景技術】
【０００２】地震国の我が国に発生する大型津波の防御方法
原子力発電所の事故による低レベル放射能を含んだ瓦礫と除洗によって発生する土砂並びに剪定樹木、芝生などの処分地の確保
【発明の概要】
【発明が解決しようとする課題】
【０００３】防潮堤工事の低コスト化と低レベル放射能を含む焼却灰などの搬入先から拒否される問題の早期解決
【問題を解決する為の手段】
【０００４】防潮堤並びに水門など現場での工事期間がながい為高コストが否めないが予め工場で製作した鋼板製容器を現地に据付その内部にコンクリート及び低レベル焼却灰などを充填完成させる
【０００５】防潮堤の陸側に数十メートルの幅で空地を設けその基礎を防水型に施工して最下部に低レベル放射能に汚染された焼却灰、瓦礫や土砂、場合によっては剪定樹木などを埋めその上に盛り土を施工すれば防潮堤に架かる波力による破壊を防止出来る、また防風林を作る事も可能となる
【０００６】防潮堤の外面に放射能遮断の塗料を塗布する事で外部への漏出を低減又は防止する
【０００７】防潮堤の施工を巾３ｍ高さ１０ｍ長さ１００ｍとした場合その内容積は約３．０００立方メートル有り瓦礫や焼却灰を１／２のボリュームで投入出来れば１．５００立方メートル、約７．０００トン以上の処分場に匹敵する
【発明の効果】
【０００８】防潮堤工事のコストダウン
低レベル放射能を含む焼却灰の埋め立て並びに原発事故で発生した瓦礫、除洗された土砂などの埋め立て場所の確保
【発明を実施する為の形態】
【０００９】津波発生が予測される地域の選定とゼネコン各社による施工
【実施例】
【００１０】
【産業上の利用可能性】
【００１１】地震国日本には不可欠
2013133697.tif 000002
【手続補正書】
【提出日】平成24年2月17日(2012.2.17)
【手続補正１】
【補正対象書類名】明細書
【補正対象項目名】全文
【補正方法】変更
【補正の内容】
【発明の詳細な説明】
【技術分野】
【０００１】本発明は産業廃棄物の有効利用に関する技術と低レベル放射能を含む廃棄物の埋め立て場所の確保に関する技術。
並びに防潮堤設置コスト低減化に関する技術
【背景技術】
【０００２】地震国日本の我が国に発生する大型津波の防御方法
原子力発電所の事故による低レベル放射能を含んだ瓦礫と除洗によって発生する土砂並びに剪定樹木、芝生などの処分地の確保
【発明の概要】
【発明が解決しようとする課題】
【０００３】防潮堤工事の低コスト化と低レベル放射能を含む焼却灰などの搬入先から拒否される問題の早期解決
【問題を解決する為の手段】
【０００４】防潮堤並びに水門など現地での工事期間がながい為高コストが否めないが予め工場で製作した鋼板製容器を現地に据付けその内部にコンクリート及び低レベル焼却灰を充填完成させる
【０００５】防潮堤陸側に数十メートルの幅で空地を設けその基礎を防水型に施工して最下部に低レベル放射能に汚染された焼却灰、瓦礫や土砂、場合によっては剪定樹木などを埋めその上に盛り土を施工すれば、防潮堤に架かる波力による破壊を防止出来る、又防風林を作る事も可能となる
【０００６】防潮堤の外面に放射能遮断の塗料を塗布する事で外部への漏出を防止する
【０００７】防潮堤の幅を３ｍ高さ１０ｍ長さ１００ｍとした場合その内容積は約３．０００立方メートル有り瓦礫や焼却灰を１／２のボリュームで投入出来れば１．５００立方メートル約７．０００トン以上の処分場に匹敵する
【発明の効果】
【０００８】防潮堤工事のコストダウン
低レベル放射能を含む焼却灰の埋め立て並びに原発事故で発生した瓦礫、除洗された土砂などの埋め立て場所の確保
【発明を実施する為の形態】
【０００９】津波発生が予測される地域の選定とゼネコン各社による施工
【実施例】
【００１０】
【産業上の利用可能性】
【００１１】地震国日本には不可欠
【図面の簡単な説明】
【００１２】
【図１】武者返し型防潮堤と瓦礫埋め立て場所の側面図
(57)【要約】【課題】砂利敷きや土の庭に体に無理なく容易に落ち葉を掃除出来る落ち葉回収器。【解決手段】ロッド・パイプ等で形成した柄１の上部に凹状の切り欠き２を設け、下部に落ち葉収用ベース９にスパイラル状のピン８を複数取付けた当該柄１に、外径及び凹状の切り欠き２に合致し、上下運動を可能とするロック機構１３を設けたリング及び下部にカバーベース１０を設けたパイプ４及び握りを形成した取手３を前記柄１に挿入し、該柄１切り欠き２の内部にスプリング５を挿入、この上部に栓６入れ握りを形成したメイン取手７が取付け構成されている。【選択図】図１
2013133700.tif 000002
【特許請求の範囲】
【請求項１】
落ち葉に、先端が尖った部材を刺して回収する落ち葉回収器であって、柄の手元側には落ち葉回収器本体保持用グリップと、刺さった葉を取り除く為の機構を作動させる為のレバーを設けてある。柄の先端側には落ち葉に刺して回収する為の先端が尖った部材を複数個設けた基板を取り付けてある、該部材は刺さった葉が落ちにくいよう先端から根元に掛けてスパイラル状、或いは返しの付いた形態を成している。更に不使用時の事故防止、及び尖った部材に刺さった落ち葉を除去する為の両機能を持たせたカバーが設けてある、両機能を併せ持った該カバーを動かす為に柄の手元側へ設けたレバー又はグリップと先端側へ設けたカバーとの間をロッド或いはワイヤー等で連結し、柄の手元側へ設けたレバーを引く或いはグリップを押す、離す等の操作をすることで、落ち葉回収器に刺さった葉の除去と、落ち葉回収器の尖った部分を覆うカバーを、同時に連動可能としたことを特徴とする落ち葉回収器。
【請求項２】
前記、先端が尖った部材を覆うカバーと、尖った部材に刺さった落ち葉を除去する為の部材が一体であることを特徴とした請求項１記載の落ち葉回収器。
【請求項３】
前記、落ち葉回収器の先端側へ設けた、落ち葉に刺さった葉を除去する部材と、尖った部材を覆うカバーが、各々独立して設けてあることを特徴とした請求項１、及び２記載の落ち葉回収器。
【請求項４】
前記、落ち葉回収器の先端側へ設けた、落ち葉除去機能と尖った部材のカバーとが一体であって、カバーの中心には柄を通す穴があり、カバーは柄を軸として上下に移動可能に取り付けてあることを特徴とした請求項１、及び２、３記載の落ち葉回収器。
【請求項５】
前記、落ち葉回収器の手元側、先端側の両端を結ぶ柄の手元側に設けられた操作レバーを開閉する為のリターンスプリングを操作レバー近傍へ設けるか、先端へ取り付けられた尖った部材を覆うカバー上面側へ柄を通してリターン用コイルスプリングを設けたことを特徴とした請求項１、及び２、３、４記載の落ち葉回収器。
【発明の詳細な説明】
【技術分野】
【０００１】本発明は、落ち葉を容易に効率よく回収する器具に関するものである。
【背景技術】
【０００２】現状では、庭等に落ちた葉は、ほうきや熊手等で掃いて集めて捨てるか手で拾か、多少大掛かりになるが、電動やエンジン付きのバキューム機で吸い取るのが一般的であった。
【発明が解決しようとする課題】
【０００３】しかし、舗装やタイル、レンガ張り或いは土などであれば支障なく掃いて掃除できるが、砂利敷きや柔らかい土の庭では掃くときにそれらの一部も一緒に掃いてしまうことがままあった。又、背の低い枝の多い植木名等が植わっている場所の落ち葉を、ほうきで掃いて掃除するのは実際には非常に手間が掛かるし、又、掃除をする時に中腰の姿勢をとる場合が多く体の一部へ負担が掛かるなどの問題があった。
【課題を解決する手段】
【０００４】本発明は砂利敷きや土の庭に限定はされるが、体に無理なく容易に落ち葉を掃除出来る落ち葉回収の器具であって、柄の一方の手元側には、落ち葉回収器全体を保持する為の柄に固定された保持グリップと、もう一方の柄の先端に設けた、落ち葉に刺して回収する為の尖った部材と、該部材に刺さった葉を除去するために設けたカバーが一体形部材を作動させる為の操作レバーが取り付けてあり、柄の先端側には落ち葉に刺す為の先端が尖った部材を取り付けた基板を取り付けてある。操作レバーを引くか押すと落ち葉に刺す為の先端が尖った部分を覆っているカバーが上部へ移動し、葉へ刺す尖った部分が露出するが、操作レバーを引くか押した時点でレバーがロックされ、尖った部分が露出した状態で維持され、その状態で尖った部分を葉に刺すことで葉が次々に刺さり回収することが出来る。
刺さった葉はレバーを解除することでカバーが元へ戻るが、その時点で同時に刺さった葉も除去される。
【発明の効果】
【０００５】砂利敷きや柔らかい土の庭での落ち葉回収が、体に負担をかける事なく容易に出来る。
【図面の簡単な説明】
【０００６】
【図１】本発明の落ち葉回収器全体の構成を示す縦断面図である。
【図２】本発明の落ち葉回収器の部分構成を示す縦断面図である。
【図３】本発明の落ち葉回収器の実施例を示す斜視図である。
【図４】本発明の落ち葉回収器の実施例を示す斜視図である。
【発明を実施するための形態】
【０００７】本発明の落ち葉回収器は、砂利敷きや柔らかい土の庭で落ち葉を刺しながら回収するための握り部分と、その先端で落ち葉を刺し回収する機構部分の柄をロッド・パイプ等で形成し、落ち葉を容易に回収除去出来る事を実現した。
【実施例】
【０００８】本発明の落ち葉回収器の実施例を図１〜図４に依って説明する。
ロッド・パイプ等で形成した柄１の上部に凹状の切り欠き２を設け、下部に落ち葉回収用ベース９にスパイラル状のピン８を取付けた当該柄１に、外径及び凹状の切り欠き２に合致し、上下運動を可能とするロック機構１３を設けたリング及び下部にカバーベース１０を設けたパイプ４及び握りを形成した取手３を前記柄１に挿入し、該柄１切り欠き２の内部にスプリング５を挿入、この上部に栓６入れ握りを形成したメイン取手７が取付けられている。【０００９】又、カバー１１は前記カバーベース１０に取付けられ、該カバー１１下面は落ち葉の処理面１２を設けている。【００１０】又本発明の落ち葉回収機構の一部を前記構成と異なり落ち葉回収用ベース９上部にピン１３を取付けカバー１１上部にもガイドリング１３を設けスプリング１５が取り付く様に形成、カバー１１の上下動作を可能にしている。【００１１】落ち葉の回収方法は、前記記載のメイン取手７を握り、取手３を、該メイン取手７に合致させ握ると、スプリング５を圧縮しながらカバー１１引上げられ、落ち葉回収用のスパイラル状のピン８が出て落ち葉に刺し回収が出来る。回収後処理する場所でメイン取手７の握りを緩めると圧縮されたスプリング５が解除されその動作により取手３が下がり同時にカバー１１も下がりカバー落ち葉処理面１２により落ち葉回収用スパイラル状のピン８に刺さった落ち葉は回収される。落ち葉回収後は安全のため、ロック機構１３で落ち葉回収用スパイラル状のピン８を覆いロックする。
【符号の説明】
【００１２】１：柄
２：凹状の切り欠き
３：取手
４：パイプ
５；スプリング
６：栓
７：メイン取手
８：スパイラル状のピン
９；落ち葉回収用ベース
１０：カバーベース
１１：カバー
１２：落ち葉処理面
１３：ロック機構
【図１】
2013133700.tif 000003
【図２】
2013133700.tif 000004
【図３】
2013133700.tif 000005
【図４】
2013133700.tif 000006
(57)【要約】【課題】  舗装用ブロックの敷設時における効率的な運搬作業と、補修時における敷設済ブロックの効率的な引き抜き作業が出来る、単純なつり構造で、使い勝手がよく、安価なつかみ具を提供する。【解決手段】  つり構造の回転軸を５箇所から１箇所に単純化し、爪幅を適度に狭く・浅くし、硬く高価な爪部分を交換式としたことにより、ブロックの形状に合わせた爪に交換することができ、爪の位置を移動することにより、大きさの異なるブロックをつかむことができるなど、運搬と引き抜きに使用でき、容易に製造できるようにし、使い勝手を向上させることを特徴とする。【選択図】図２
2013133634.tif 000002
【特許請求の範囲】
【請求項１】
舗装用ブロックの敷設時における効率的な運搬作業と、補修時における敷設済ブロックの効率的な引き抜き作業が出来る、単純なつり構造で、使い勝手がよく、安価なつかみ具を提供する。
【請求項２】
請求項１のつかみ具において、爪の位置を移動することにより、大きさの異なる舗装用ブロックをつかむことができるつかみ具。
【請求項３】
請求項１のつかみ具において、舗装用ブロックの形状に合わせた爪にすることにより、形状の異なる舗装用ブロックをつかむことができるつかみ具。
【発明の詳細な説明】
【技術分野】
【０００１】
本発明は舗装用ブロックのつかみ具に関するものである。
【背景技術】
【０００２】
既存の運搬具は回転軸が５箇所ある複雑なもので、舗装用ブロックの運搬や引き抜きは別々の道具が必要であった。
【発明の概要】
【発明が解決しようとする課題】
【０００３】
従来技術では上記にあるように、既存の運搬具は回転軸が５箇所ある複雑なものであり、舗装用ブロックの運搬や引き抜きは別々の道具が必要であった。本発明はつり構造を単純化し、運搬と引き抜きが可能な使い勝手の良い安価な舗装用ブロックのつかみ具を提供することを課題とする。
【課題を解決するための手段】
【０００４】
前記課題を解決するため、請求項１に係る発明は、つり構造の回転軸を５箇所から１箇所に単純化し、爪幅を適度に狭く・浅くし、硬く高価な爪部分を交換式としたことにより、運搬と引き抜きに使用でき、容易に製造できるようにして、使い勝手を向上させることを特徴とする。
【発明の効果】
【０００５】
本発明により、つり構造の回転軸を５箇所から１箇所に単純化し、爪幅を適度に狭く・浅くし、硬く高価な爪部分を交換式としたことにより、運搬と引き抜きに使用でき、かつ容易に製造できる、使い勝手の向上した、安価なつかみ具を提供することが可能となった。
【図面の簡単な説明】
【０００６】
【図１】本発明のつかみ具の斜視図。
【図２】本発明のつかみ具の使用斜視図。
【図３】本発明のつかみ具の側面図。
【図４】既存の運搬具の側面図。
【図５】既存の引き抜き具の側面図。
【図６】本発明のつかみ具の使用斜視図２。
【図７】本発明のつかみ具の使用斜視図３。
【発明を実施するための形態】
【０００７】
使い勝手を向上させる方法として、つり構造の回転軸を５箇所から１箇所に単純化し、爪幅を適度に狭く・浅くし、硬く高価な爪部分を交換式とし、爪の位置を移動することで大きさの異なる舗装用ブロックをつかむことができたり、舗装用ブロックの形状に合わせた爪にするなどして、運搬と引き抜きに使用できる安価で使い勝手を向上したつかみ具とする方法や、既存の運搬具の爪を適度に短く・浅くし、舗装用ブロックの形状に合わせた爪にする方法などが考えられるが、使い勝手や製造の容易さなどを考慮すると、前者が最良の形態として挙げられる。
【符号の説明】
【０００８】
１    回転軸
２    爪１
３    舗装用ブロック１
４    舗装用ブロック２
５    舗装用ブロック３（三角形）
６    爪２（三角形用）
【図１】
2013133634.tif 000003
【図２】
2013133634.tif 000004
【図３】
2013133634.tif 000005
【図４】
2013133634.tif 000006
【図５】
2013133634.tif 000007
【図６】
2013133634.tif 000008
【図７】
2013133634.tif 000009
(57)【要約】      （修正有）【課題】海中発電の最大のテーマである排海水設備を海中部分ではなく海上部分にて排水処理をいかに可能にするかを考察中に偶然発見したものである。本発見に依り殆んど陸上部分での活動と差異は無くなり当然修理補足等もより簡単に行なえる事となり、当然技術等の進歩が今後ますます速度が早くなり海中発電全体の進歩に大きく貢献される発見となるものである。排海水の増量と真空吸引排水処理施設全体をいかに簡単に強力に上昇さす事が出来る事を検討すべきである。【解決手段】真空吸引排水処理施設下部分に海中空間部分を設置すれば大きく持ち上げる不要な労力部分が大きく軽減される事となる。【選択図】図３
2013181529.tif 000002
【特許請求の範囲】
【請求項１】
通常の時には「排海水第二水槽」の外側部分に「深海喫水線吸入口」部分より喫水線部分迄の海水が自然の摂理の通り侵入しているものであるが「排海水処理第二水槽内の排海水の船外放出の為に次の通り行なうものである。
まず通常時の「深海喫水線吸入口」部分よりの海水が常時上部の排水処理施設内に常に満ちているものである。
2013181529.tif 000003
まず下部の深海喫水線吸入口を閉じ「排海水処理第二水槽」内の排海水放出開閉扉を全開とする。
そして同時に同第二水槽内の排出に依る真空状態等の予防の為に高圧空気等の注入を始めるものとする。
2013181529.tif 000004
次に図２の通り海上部分での「真空吸引排水処理施設全体が引っぱり上げる部分Ａの強い引き上げ力に依り「真空吸引排水処理施設」全体が持ち上げられる事となる。
そして強烈な上昇に依る上昇力とその内に存在する大量の排海水との間に次第に強烈な負圧が生じる事となり、見た目にはその「真空吸引排水処理施設内」の喫水線Ｈ部分が大きく持ち上げられた形と映るものとなり、その持ち上がった状態の排海水は、本「真空吸引排水処理施設内の負圧の圧力と外側の大気圧の差も含まれたものであり、短時間で解消されるものではないものである。
そして本申請はこの天然の見た目には排海水が盛り上がった部分の排海水の放出を図２の空気注入口Ｅ部分の開扉を行なえば瞬時に負圧の解除となり通常の１気圧に還る為に盛り上がっていた大量の排海水が「排水放出口より外海に押し出されて排出が行なわれる事となる。
次に固定された「排出口Ｓ」部分とその下部内部に格納された排水補助筒は同時に上昇を行なうが、「排水補助筒」内には次々と下部の「排海水処理第二水槽」内よりの排海水の侵入が行なわれ、その排海水は必ず「真空吸引排水処理施設」内喫水線Ｈ部分以下の水位にて排海水の放出が行なわれる様に設計されているものであり、各「排海水排出口」部分よりの排出となる
又排出口Ｓ部分は「真空吸引排水処理施設内」喫水線Ｈの上部部分迄侵入する事となる為により強力な上昇吸引力が働く事となる為に、二重の排海水管部分の設置となっており、いかに多くの排海水を行なうかを考察したものである
又喫水線Ｈ部分が負圧の解消により降下して来ても本設備内の余った排海水は全て排水放出口Ｙ部分より放出がなされ、この行為を継続反復する事に依り大量の排海水処理を行なう装置となる。
【発明の詳細な説明】
【技術分野】
【０００１】  海上面部分の容器を持ち上げる事に依る容器内に負圧の発生を起こしその吸引力と海中での自然の排海水の湧水力を利用して排水を行なうものである。【０００２】  海上部分での排海水設備の設置が行なわれる為に技術的な進歩速度が大きく前進する。【０００３】  以上の通り図１〜図３により説明する。【０００４】  海中部分に設置された集合排海水容器内の排海水を上部に設置された排水処理施設を活用し排海水処理を行なう。
まず真空吸引排水処理施設全体を持ち上げると本設備内の喫水線Ｈ部分が本設備内の強力な負圧の発生に合わせて水面が上昇する形になるが、本容器外の喫水線水位とは大きく段差が発生する事となりその段差部分の水容量を外海に排出さすものである。【０００５】
【特許文献】特にありません。
【発明の概要】
【発明が解決しようとする課題】  本発明方法に依る排海水方法が開発されれば殆んど海上部分での設置となり又修理等も陸上部分と変わらない位の作業となり大きく発展するものとなる。
【課題を解決するための手段】  １回の排海水処理量の増加を目指すものであるが上方に引張り上げる力の強力化を海中空間の活用に依り大きく前進する事となる。
【発明の効果】  海中での水圧等の恐怖の無い海上面部分での排海水であり、誰でも知っている自然現象を活用したものであり、何も技術的に難しい部分は無く、必ず誰もが納得してもらえる海中部分の排海水方法が発見された事によるより大くの興味が示される事となり、大きく発展する可能性が見られる事となる。
【図面の簡単な説明】
【図１】真空吸引排水処理施設の全体図である。
【図２】真空吸引排出処理施設が上部より強引に引張り上げられた状態を図示したものである。
【図３】上方に引張り上げる力を海中空間部分の空気排出力の活用を行ないより強力な「真空吸引排出処理施設」の引き上げ力の強化を行ないより大量の排海水量を目指すものである。
【発明を実施するための形態】
〔図１〕
海中装置の排海水処理容器よりの排海水を上部に設置された真空吸引排水処理施設の内部等全体構成図である。
まず排出口Ｓを備えた排水管の内部に負圧に依り大きく「排水処理施設」内の喫水線部分が大きく上昇した時にその時の準備の為に内部部分に「排水補助筒」の設置を行なう詳細図である。
〔図２〕
本「真空吸引排水処理施設」が大きく持ち上げられた時の本施設全体の状況図を記したものであり、そして最期には海中部分よりの排海水の吸引に依り大きく盛り上がった喫水線部分の排水が行なわれる詳細図を記したものである。
〔図３〕
「真空吸引排水処理施設」を持ち上げる時に周辺部分に設置された海中空間部分よりの高圧空気の噴出の活用を行ないより強力な上記施設の上昇を図りより大量の排海水の排水を目指したものである。
【図１】
2013181529.tif 000005
【図２】
2013181529.tif 000006
【図３】
2013181529.tif 000007
(57)【要約】      （修正有）【課題】タイルの接着剤張り工法において、職人の技量に左右されず、統一的かつ効率的な作業が行えるよう、容易に適量の接着ボンド厚が得られる左官鏝を提供する。【解決手段】左官鏝１の底面に、突出した計量補助板５の上下調節により接着ボンド厚を調節でき、職人の技量の優劣なく適量の接着ボンド厚が得られる。また、鏝の握り底面中央に指あて７を設けたことで鏝の安定した握りが得られ、施工壁面に対して、左・右両方向からの塗布が可能である。【選択図】図１
2013181335.tif 000002
【特許請求の範囲】
【請求項１】
左官鏝の鏝板の表面から下方に貫通して突出する計量補助板を設け、該計量補助板を鏝板からの突出長さを調節可能に鏝板表面に固定した握り部の両端に支持させたことを特徴とするタイル接着剤張り工法に用いる左官鏝。      
【請求項２】
左官鏝の安定した握りを得るための指あてを握り部中央下方に設置させたことを特徴とする請求項１記載のタイル接着剤張り工法に用いる左官鏝。
【発明の詳細な説明】
【技術分野】
【０００１】
本発明は、タイル接着剤張り工法の施工時に用いる左官鏝に関するものである。
【背景技術】
【０００２】
建築物の壁面などの保護や装飾を目的として、古くからタイルが使用されてきた。
【０００３】
外装タイルの接着剤張り工法は、従来のモルタル張り工法より安定した接着力が得られ、施工壁面とタイルが密着し、空隙が出来ないため耐水性にも優れ、白華が出来ることもなく、剥離防止につながり、現在は接着剤張り工法が主流の工法となっている。
【０００４】
この接着剤張り工法では、接着剤を均一に伸ばす道具としてくし目鏝が使用される。特許文献１の様に「先端縁に櫛目状の凹凸を形成して計量鏝を移動させ、先端縁が直線状の均し鏝で平坦にする」もの、あるいは該櫛目部を傾斜させた特許文献２等が見受けられるまず、くし目鏝でくし目を立てて接着剤を均一に伸ばし、必要に応じて鏝の平らな部分で押さえて平滑に仕上げるといった２段階の作業を行っている。
非特許文献である全国タイル工業組合の有機系接着剤張りの認定制度チラシにも省施工方法が図示とともに説明されている。
【先行技術文献】
【特許文献】
【０００５】
【特許文献１】特開平５−１０４５１１号公報
【特許文献２】実開平５−４７２０２号公報
【非特許文献】
【０００６】
【非特許文献１】全国タイル工業組合のtile-net(2010.06)「全国タイル工業組合外装タイルと有機系接着剤の組合せ品質認定制度）
【発明の概要】
【発明が解決しようとする課題】
【０００７】
従来、接着剤張り工法において、接着ボンドを塗布する時、くし目鏝の凸の部分が施工壁面に直接擦れ、長時間使用すると凸の部分が摩耗するため、くし目の目立てを行い、元の凹凸の規格になるようくし目鏝の修理が必要である。
さらに、同じ目のくし目鏝を使用しても、接着剤塗布時のくし目鏝の角度が作業者によって大きくばらつくため、接着ボンド厚にばらつきが生じ、その結果タイルの接着性に大きく影響を与えることとなる。                    
【０００８】
接着ボンドの塗布にあたり、正確で均一な接着ボンド厚に形成するためには、熟練を要した職人の高度な技術が肝要となるが、職人の技量に左右されず、統一的かつ効率的な作業が行え、容易に適量の接着ボンド厚が得られる左官鏝の提供が求められる。  
【課題を解決するための手段】
【０００９】
施工壁面に均一で適量の接着ボンド厚を得るため、左官鏝の握りの両端から鏝板を貫通して下り、突出した計量補助板を設けたこと。
【発明の効果】
【００１０】
本発明の左官鏝で施工壁面に接着ボンドを塗布するとき、鏝板より突出した計量補助板の先端が施工壁面に接し、鏝板は直接擦れないため、鏝板の摩耗は少なく、長年の使用が可能な左官鏝である。                                                                
【００１１】
鏝板より突出した計量補助板が、接着ボンド厚を形成することで、職人の技量に影響なく均一で適量の接着ボンド厚が得られる。      
【図面の簡単な説明】
【００１２】
【図１】本発明の一実施の形態を示す左官鏝の斜視図である。
【図２】本発明の使用状態を示す左右の側面図である。
【発明を実施するための形態】
【００１３】
左官鏝１は、鏝板２の上面にＬ型鋼材３を固定させ、Ｌ型鋼材３の上端に、握り４を取り付け設けている。また、握り部４の両端から鏝板２を貫通して突出した計量補助板５を設けている。また、握り底面中央より下った指あて７を設けた。
【実施例１】
【００１４】
以下本発明の左官鏝の実施例を図に基づいて説明する。
図１は、左官鏝１の斜視図を示すものであり、図２は本発明の使用状態の左右側面図である。      
【００１５】
左官鏝１の鏝板２は、０．０５ｍｍ厚で、高硬度の横８０ｍｍ、縦２４０ｍｍのステンの板で製作され、握り部４の両端から鏝板２を貫通して下がる計量補助板５を差し込むため、鏝板２の両端より４ｍｍずつ内よりに１ｍｍ×１０ｍｍの切り込み穴を二箇所もうけた。          
【００１６】
そして、鏝板２の上面に握り部４を支えるため、アルミのＬ型鋼材３の上端に握り部４を固定した。              
【００１７】
握り部４の両端から鏝板２を貫通して突出した計量補助板５の下りは、鏝板２と施工壁面８との間の接着ボンド厚１０を形成するため、上下調節して固定し、矢符a方向に移動することで、適量の接着ボンド厚１０が形成される。                  
【００１８】
また、握り部４の底面中央に設けた指あて７は、握り部４を掌握した時、指の間に入り、より安定した握りが得られる。        
【００１９】
左官鏝１の形態が左右正反対のため、施工壁面に対して、左右両方向から塗布することが可能な左官鏝である。                
【産業上の利用可能性】
【００２０】
本発明の左官鏝は、接着ボンドの塗布に限らず、均一で適量の塗り厚に出来る効果を活用して、左官工事にも広く適用できる。          
【符号の説明】
【００２１】
１  左官鏝        
２  鏝板
３  Ｌ型鋼材
４  握り部
５  計量補助板
６  計量補助板の固定ネジ
７  指あて  
８  接着ボンド
９  施工壁面
１０  接着ボンド厚  
１１  切り込み穴  
【図１】
2013181335.tif 000003
【図２】
2013181335.tif 000004
【手続補正書】
【提出日】平成24年4月6日(2012.4.6)
【手続補正１】
【補正対象書類名】明細書
【補正対象項目名】０００９
【補正方法】変更
【補正の内容】
【０００９】
施工壁面に均一で適量の接着ボンド厚を得るため、左官鏝の握りの両端から鏝板を貫通して下り、突出した計量補助板を設けたこと。尚、計量補助板は消耗部品として常備する。
【手続補正２】
【補正対象書類名】明細書
【補正対象項目名】００１５
【補正方法】変更
【補正の内容】
【００１５】
左官鏝１の鏝板２は、０．０５ｍｍ厚で、高硬度の横８０ｍｍ、縦２４０ｍｍのステ  ンの板で製作され、握り部４の両端から鏝板２を貫通して下がる計量補助板５を差し込むため、鏝板２の両端より４０ｍｍずつ内よりに１ｍｍ×１０ｍｍの切り込み穴を二箇所もうけた。
(57)【要約】【課題】レール付窓枠は、見栄えが悪く、凸凹が有り、つまずく様な事もあった。更に、レール溝及び窓戸の戸車には塵挨等が溜まり易く、それらの掃除が大変であった。【解決手段】窓戸の戸車、及び窓枠のレールを無くし、窓戸は窓枠上面に設けられたスリット内にはめ込み、窓枠内に設けられた支持ローラにて窓戸を支える。【選択図】図１
2013181383.tif 000002
【特許請求の範囲】
【請求項１】
窓戸に戸車が無い、引違い窓戸の窓枠の下側の枠内に回転体（転がる物）を設けた、窓枠にレールが無い引違い窓戸とその窓枠
【請求項２】
出入口の扉に戸車が無い、引違い玄関扉（又は、部屋の扉）の扉枠の下側の枠内に回転体（転がる物）を設けた、扉枠にレールが無い引違い扉とその扉枠
【請求項３】
雨戸に戸車が無い、引違い雨戸の雨戸枠の下側の枠内に回転体（転がる物）を設けた、雨戸枠にレールが無い引違い雨戸とその雨戸枠
【発明の詳細な説明】
【技術分野】
【０００１】（現在、金属性の窓戸、窓枠、扉、扉枠、雨戸、雨戸枠等が最も普及しているので、一例としてアルミサッシの窓戸と窓枠にて説明します。）
窓戸に戸車が無く、窓戸の下部が薄くなっており、この薄い部分が窓枠のスリットに入り込み、窓枠内に設けた支持ローラで窓戸を支えるレールが無い窓戸と窓枠
【背景技術】
【０００２】従来、引違い窓戸の下側に戸車が取付けられ、この戸車が窓枠のレール上を転がり、窓戸が開閉するものであった。
【発明が解決しようとする課題】
【０００３】これは、次の様な欠点があった。
レール付窓枠は、外見上の見栄えが悪く、凸凹が有り、引掛ったり、つまずく様な事もあった。  更に、レール溝及び窓戸の戸車には塵挨等が溜まり易く、又繊維状物質等が絡み付く等で、それらの掃除には大変な労力を費やす為、精神面からも掃除を敬遠し、頻度が少なくなる事もあり、益々汚れが蓄積される傾向にあった。
この発明は、以上の欠点を解決する為に、なされたものである。
【解決手段】
【０００４】窓戸の戸車、及び窓枠のレールを無くし、窓戸の下部を薄くして、窓枠上面に設けられたスリット内にはめ込み、窓枠内に設けられた数個の支持ローラにて窓戸を支え、窓枠側面には、ローラ取付け用のカバー付の窓、（又は、窓枠上面に蓋）を設ける。
【発明の効果】
【０００５】レールが無くなり、窓枠の上面が平面となる為に、見栄えは一段と良くなり、窓枠の上に腰を掛ける事も出来るようになる。そして、平面なので、上面は拭取り掃除が容易に出来る。
又、支持ローラ部と枠内の掃除に関しては、支持ローラ取付け用窓カバーを外して（又は、窓枠のスリットから）、水を直接流し込み水洗いが容易に出来、大変簡単に、しかも掃除の出来具合が一段と改良される事になる。
【実施する為の最良の形態】
【０００６】                −アルミサッシ（網戸付）の大型窓にて説明します。−
下側の窓枠＃３の内部に数個の支持ローラＡｓｓｙ＃４〜９が小ねじで取付けてあり、窓枠＃３の上部にはスリットが切ってある。そのスリットに窓戸＃１，２及び網戸＃１１の下部がはまり込む。窓枠＃３内部には、強度を保つリブも設けられている。
スリットの幅に関しては、窓戸＃１，２及び網戸＃１１が入ると共に、開閉時のガイドにもなり、又塵挨や雨水の侵入を防止する為のパッキンに相当するものが、窓戸＃１，２及び網戸＃１１に取付けられるので、それらの機能を確保する為に最適な寸法となっている。
支持ローラＡｓｓｙ＃４〜９は、窓戸＃１，２及び網戸＃１１の質量を充分に支える強度と面圧や摩耗に耐えると共に、防錆機能を持つ材料が使用されており、同時に寸法的にも必要な厚みに仕上げられている。更に、支持ローラ＃４〜６は、窓戸＃１，２及び網戸＃１１毎に対応する様に分割されており、それぞれ個別交換が可能であると共に、摩耗状況により、それぞれを軸方向に１８０度反転する事に依り、転動面（窓戸等が当たる部分）が無い部分へと替わる為、１ケの支持ローラが、２ケ分の役目をする様に寸法が決められている。
又、ベアリング＃８は、ブラケット＃９に取付けられており、その中に軸＃７が入っているが、軸＃７そのものも回転可能な程度の最適なクリアランスが設けられている。
支持ローラ＃４〜６は軸＃７の周りを元々回転するものなので、結局支持ローラ＃４〜６は理論的には、フロートベアリングで支えられている事となり、耐摩耗性の向上を図っている。尚、材料に関しても、ブラス系，プラスチック系、テフロン系等、耐久性と摩擦損失等を考慮した最適のものを採用する事になるのは、当然である。尚、支持ローラ＃４〜６は、二重構造等のローラになる可能性もある。
処で、左右の戸当り部（端部）には、支持ローラの代わりに支持ブロック＃１２が付いており、窓戸の端部を支持する構造になっている。材料は、支持ローラ＃４〜６と同様に考えられている。
窓枠＃３には、内部に支持ローラＡｓｓｙ＃４〜９を取付ける為に、窓カバー＃１０が設けられているが、水洗い掃除の時、これを取外して洗浄水を入れたり、流し出す事となる。又、水は、上部のスリットからも入れられる。従い、窓枠＃３内部のリブも、洗浄水の流れを考慮したリブの形状となっており、所々切欠きを設けている。
窓戸＃１，２及び網戸＃１１の最上部は外れ止めにて、従来通りに上下方向の寸法調整を行う構造であり、外部シャッターも、追加可能となる様に、裏地も取付けられている。
【図面の簡単な説明】
【図１】  本発明の斜視図を示す。
【図２】  窓戸と支持ローラの斜視図を示す。
【図３】  窓戸と窓枠の正面図を示す。
【図４】  支持ローラ部の断面図（断面Ａ−Ａ）を示す。
【図５】  リブ部の断面図（断面Ｂ−Ｂ）を示す。
【図６】  リブ切欠き部の断面図（断面Ｃ−Ｃ）を示す。
【図７】  戸枠端部の断面図（断面Ｄ−Ｄ）を示す。
【図８】  支持ローラ部の平面図（断面図）を示す。
【図９】  支持ローラ部の側面図を示す。
【図１０】  窓カバーを示す。
【図１１】  戸枠端部、支持ブロックの側面図を示す。
【符号の説明】  １  窓戸（右側用）
２  窓戸（左側用）
３  窓枠（下部用）
４  支持ローラ（窓戸用）
５  支持ローラ（窓戸用）
６  支持ローラ（網戸用）
７  軸
８  ベアリング
９  ブラケット
１０  窓カバー
１１  網戸
１２  支持ブロック
１３  押え金
【図１】
2013181383.tif 000003
【図２】
2013181383.tif 000004
【図３】
2013181383.tif 000005
【図４】
2013181383.tif 000006
【図５】
2013181383.tif 000007
【図６】
2013181383.tif 000008
【図７】
2013181383.tif 000009
【図８】
2013181383.tif 000010
【図９】
2013181383.tif 000011
【図１０】
2013181383.tif 000012
【図１１】
2013181383.tif 000013